(57)【要約】【課題】同一の表示情報を２以上の表示部に表示する場合に、入力された表示指示に基づいて、２以上の表示部に表示される同一の表示情報の表示態様を異ならせることを課題とする。【解決手段】表示情報を表示する第１表示部と、第１表示部に表示された表示情報の所望の領域と表示態様とを指定する表示指示を入力する入力部と、入力された表示指示から、指定領域に属する表示データと、表示態様とを判定する表示指示判定部と、表示情報を第１表示部に表示させるための主表示データと、表示情報を他の表示装置に表示させるための副表示データとを記憶した記憶部と、副表示データのうち指定領域に属する表示データが、判定された表示態様で他の表示装置に表示されるように副表示データを変更し、かつ指定領域に属する表示データが、識別することのできる表示態様で第１表示部に表示されるように主表示データを加工する表示データ生成部とを備えたことを特徴とする。【選択図】図７
2014025975.tif 000002
【特許請求の範囲】
【請求項１】
表示情報を表示する第１表示部と、
前記第１表示部に表示された表示情報の所望の領域と表示態様とを指定する表示指示を入力する入力部と、
前記入力された表示指示から、前記指定された領域に属する表示データと、その表示指示によって指定された表示態様とを判定する表示指示判定部と、
前記表示情報を前記第１表示部に表示させるための主表示データと、前記表示情報を他の表示装置に表示させるための副表示データとを記憶した記憶部と、
前記副表示データのうち前記指定された領域に属する表示データが、前記判定された表示態様で、前記他の表示装置に表示されるように、前記副表示データを変更し、かつ前記表示指示によって指定された領域に属する表示データが、識別することのできる表示態様で、前記第１表示部に表示されるように、前記主表示データを加工する表示データ生成部とを備えたことを特徴とする表示制御装置。
【請求項２】
前記他の表示装置は、ネットワークを介して接続された１または複数の情報表示端末に備えられた表示装置であり、
前記表示データ生成部によって変更された副表示データを、前記情報表示端末に送信する通信部をさらに備えたことを特徴とする請求項１に記載の表示制御装置。
【請求項３】
前記第１表示部に、前記入力された表示指示の情報を、前記指定された領域に重ねて表示させることを特徴とする請求項１または２に記載の表示制御装置。
【請求項４】
前記入力された表示指示は、前記指定された領域に属する表示データを、前記他の表示装置に表示させるかまたは非表示にするかを設定するための指示であることを特徴とする請求項１ないし３のいずれかに記載の表示制御装置。
【請求項５】
前記入力部によって、前記入力されていた表示指示を解除する入力がされた場合には、前記表示データ生成部は、前記表示情報が、前記第１表示部と前記他の表示装置に前記表示指示が入力される前の表示態様で表示されるように、前記主表示データと副表示データとを変更することを特徴とする請求項１ないし４のいずれかに記載の表示制御装置。
【請求項６】
前記表示指示が、前記表示情報の所望の指定領域を囲む破線であった場合、前記指定された表示態様は、前記領域に属する表示データを非表示にすることを意味する請求項１ないし５のいずれかに記載の表示制御装置。
【請求項７】
前記表示指示が、前記表示情報の所望の指定領域を囲む実線であった場合、前記指定された表示態様は、前記領域に属する表示データを所定の指定色で表示させることを意味する請求項１ないし５のいずれかに記載の表示制御装置。
【請求項８】
前記他の表示装置は、表示制御装置に備えられた第２表示部であることを特徴とする請求項１に記載の表示制御装置。
【発明の詳細な説明】
【技術分野】
【０００１】
この発明は、表示制御装置に関し、特に、異なる２以上の表示画面に、同一または異なる表示データを表示させることの可能な表示制御装置に関する。
【背景技術】
【０００２】
従来から、説明者と視聴者とが異なる表示装置を見ながらプレゼンテーションを行うことが行われている。たとえば、複数台の表示装置を接続し、説明者が利用する表示内容と同一の表示内容を、複数の視聴者それぞれが利用する表示装置に表示することにより、プレゼンテーションが行われている。
また、説明者と視聴者の表示装置に、同一あるいは異なるプレゼンテーション用データを表示させ、説明者用の表示データの切り替えに連動させて、視聴者用の表示データを切り替えるプレゼンテーション支援装置が提案されている（特許文献１，図１，図５，図８，図９参照）。
【０００３】
さらに、２つのディスプレイを備え、操作者のスイッチの押し下げ操作に応答して、操作者が見るディスプレイの操作者用の表示画面に表示されたデータと同一の表示データを対話者用の表示データとして格納し、次のスイッチ押し下げ操作がされるまで、対話者が見るディスプレイの対話者用の表示データを保持することにより、対話相手に表示する必要のある画面のみを選択して対話者が見るディスプレイに表示するようにした画面表示装置が提案されている（特許文献２，段落０００５，００１２〜００１５参照）。
【先行技術文献】
【特許文献】
【０００４】
【特許文献１】特開２００５−４９４７５号公報
【特許文献２】特開平９−３１９４６１号公報
【発明の概要】
【発明が解決しようとする課題】
【０００５】
説明者と視聴者の表示装置に同一の表示内容を表示させる場合は、表示内容を一種類だけ作成すればよいが、説明者だけが見る説明用の表示情報を表示させるためには説明者が利用する表示装置の表示画面を必要に応じて切り替えるか、あるいは、説明用の表示情報を表示する専用の表示装置を設ける必要があった。
【０００６】
また、説明者と視聴者の表示装置に異なる表示内容を表示させる場合には、特許文献１のように、異なる２種類のプレゼンテーション用データを関連付けて予め記憶しておく必要があり、それらのデータの作成に手間がかかっていた。
さらに、表示内容が異なる場合、説明者が視聴者の表示装置に表示されている表示内容を確認するためには、説明者が表示装置の表示画面を２分割して、説明者用と視聴者用の表示内容を同時に表示させるか、あるいは、２台の表示装置を利用して、説明者が、異なる表示装置に表示される説明者用の表示画面と視聴者用の表示画面とを見る必要があった。
【０００７】
また、特許文献２に記載のものでは、操作者用ディスプレイに表示させた表示画面の内容が対話者用ディスプレイに転送されて表示されるが、操作者は、操作者用ディスプレイに、転送させる表示画面の内容と同一の表示内容を表示させる操作をする必要があるので、操作者の操作負担が大きく、多数の表示内容を転送する場合には、その都度上記のような表示および転送操作を繰り返す必要があり、操作者は、対話者用ディスプレイに現在どの表示画面が表示されているのかを確認するのが困難である。
【０００８】
そこで、この発明は、以上のような事情を考慮してなされたものであり、説明者が容易な操作をすることにより、説明者と視聴者が見る表示画面にそれぞれ表示させる表示内容を同一とするかあるいは異ならせることができ、視聴者が見る表示画面に表示されている表示内容を説明者が容易に確認することができる表示制御装置を提供することを課題とする。
【課題を解決するための手段】
【０００９】
この発明は、表示情報を表示する第１表示部と、前記第１表示部に表示された表示情報の所望の領域と表示態様とを指定する表示指示を入力する入力部と、前記入力された表示指示から、前記指定された領域に属する表示データと、その表示指示によって指定された表示態様とを判定する表示指示判定部と、前記表示情報を前記第１表示部に表示させるための主表示データと、前記表示情報を他の表示装置に表示させるための副表示データとを記憶した記憶部と、前記副表示データのうち前記指定された領域に属する表示データが、前記判定された表示態様で、前記他の表示装置に表示されるように、前記副表示データを変更し、かつ前記表示指示によって指定された領域に属する表示データが、識別することのできる表示態様で、前記第１表示部に表示されるように、前記主表示データを加工する表示データ生成部とを備えたことを特徴とする表示制御装置を提供するものである。
【００１０】
これによれば、表示情報の所望の領域と表示態様とを指定する表示指示を入力するだけで、第１表示部と他の表示装置の表示画面に表示させる表示内容を異ならせることができ、第１表示部を利用する説明者は、上記指定領域に属する表示データを識別することのできる表示態様で見ることができるので、他の表示装置に表示されている表示内容を容易に確認することができる。
【００１１】
また、前記他の表示装置は、ネットワークを介して接続された１または複数の情報表示端末に備えられた表示装置であり、前記表示データ生成部によって変更された副表示データを、前記情報表示端末に送信する通信部をさらに備えたことを特徴とする。
これによれば、副表示データを、ネットワークを介して接続された情報表示端末に送信するので、表示制御装置とは異なる場所に設置された他の表示装置に、表示制御装置を利用する説明者が意図する表示態様の表示画面を表示させることができる。
【００１２】
また、前記第１表示部に、前記入力された表示指示の情報を、前記指定された領域に重ねて表示させることを特徴とする。
これによれば、入力された表示指示の情報が、第１表示部に表示された表示情報の指定された領域に重ねて表示されるので、表示制御装置を利用する説明者は、表示態様を変更する領域を、容易に確認することができる。
【００１３】
また、前記入力された表示指示は、前記指定された領域に属する表示データを、前記他の表示装置に表示させるかまたは非表示にするかを設定するための指示であることを特徴とする。
これによれば、表示指示を入力することにより、他の表示装置に表示させる指定領域に属する表示データを、表示させるかまたは非表示させるかを、容易に設定することができる。
【００１４】
また、前記入力部によって、前記入力されていた表示指示を解除する入力がされた場合には、前記表示データ生成部は、前記表示情報が、前記第１表示部と前記他の表示装置に前記表示指示が入力される前の表示態様で表示されるように、前記主表示データと副表示データとを変更することを特徴とする。
これによれば、表示指示を解除する入力をすることにより、表示情報が、その表示指示が入力される前の表示態様で表示されるように、容易に戻すことができる。
【００１５】
また、前記表示指示が、前記表示情報の所望の指定領域を囲む破線であった場合、前記指定された表示態様は、前記領域に属する表示データを非表示にすることを意味する。
また、前記表示指示が、前記表示情報の所望の指定領域を囲む実線であった場合、前記指定された表示態様は、前記領域に属する表示データを所定の指定色で表示させることを意味する。
これによれば、表示指示を入力する線の種類を異ならせることにより、その線の種類（破線、実線）によって、それぞれ表示データの非表示および表示の区別を容易に設定することができる。
【００１６】
また、前記他の表示装置は、表示制御装置に備えられた第２表示部であることを特徴とする。
【発明の効果】
【００１７】
この発明によれば、同一の表示情報を第１表示部と他の表示装置に表示させる場合に、表示指示を入力することにより、その表示指示によって指定された領域に属する表示データを、指定された表示態様で、他の表示装置に表示させるように副表示データを変更し、指定された領域に属する表示データを識別することができる表示態様で第１表示部に表示させる主表示データを加工するので、説明者は、表示指示を入力する容易な入力操作をするだけで、自己が利用する第１表示部の表示画面と、視聴者が利用する他の表示装置の表示画面に表示させる表示内容を異ならせることができ、第１表示部に表示される上記指定領域に属する表示データを識別することのできる表示態様で見ることができるので、説明者は、他の表示装置に現在表示されている表示内容を容易に確認することができる。
【図面の簡単な説明】
【００１８】
【図１】この発明の表示制御装置の一実施例の構成ブロック図である。
【図２】この発明の情報表示端末の一実施例の構成ブロック図である。
【図３】この発明の表示制御装置の他の実施例の構成ブロック図である。
【図４】この発明の記憶部に記憶される情報の一実施例の説明図である。
【図５】この発明の表示制御装置の表示部に表示される表示画面の一実施例の説明図である。
【図６】この発明の情報表示端末の表示部に表示される表示画面の一実施例の説明図である。
【図７】この発明の表示制御装置の第１および第２表示部に表示される表示画面の一実施例の説明図である。
【図８】表示制御装置における主表示データの表示制御処理の一実施例のフローチャートである。
【図９】表示制御装置における主表示データの表示制御処理の一実施例のフローチャートである。
【図１０】表示制御装置における副表示データの表示制御処理の一実施例のフローチャートである。
【図１１】情報表示端末における表示データの受信と表示処理の一実施例のフローチャートである。
【図１２】この発明の表示制御装置の他の実施例における主表示データの表示制御処理の一実施例のフローチャートである。
【図１３】この発明の表示制御装置の他の実施例における主表示データの表示制御処理の一実施例のフローチャートである。
【図１４】この発明の表示制御装置の他の実施例における副表示データの表示制御処理の一実施例のフローチャートである。
【発明を実施するための形態】
【００１９】
以下、図に示す実施例に基づいて、この発明を説明する。
なお、これによって、この発明が限定されるものではない。
【００２０】
＜この発明の表示制御装置の構成＞
図１に、この発明の表示制御装置の一実施例の構成ブロック図を示す。
図１に示す表示制御装置１は、主として、プレゼンテーションをする説明者（あるいは管理者とも呼ぶ）が見る表示装置（表示部２０）と、説明者が表示指示などを入力する入力装置（入力部３０）と、表示指示判定部４０と、表示データ生成部５０と、通信部６０と、記憶部７０と、これらの各機能ブロックの動作を制御する制御部１０とを備える。
【００２１】
表示制御装置１は、ネットワーク１００を介して、１または複数の情報表示端末（ＴＥ）１０１と接続されている。
ネットワーク１００としては、ＬＡＮや、インターネット等のＷＡＮを利用することができ、有線通信および無線通信のいずれの通信方式を利用してもよい。
情報表示端末１０１は、少なくとも表示装置を備えた情報処理装置であり、パソコン、携帯端末（たとえば携帯電話、スマートホン、タブレット端末、ハンディターミナル）、インフォメーションディスプレイ、LEDディスプレイなどに相当する装置である。
【００２２】
この情報表示端末１０１は、表示制御装置１を利用する説明者がプレゼンテーションを行う場合に、そのプレゼンテーションで利用する表示情報（コンテンツ）を表示する端末であり、そのプレゼンテーションを視聴する視聴者が利用する端末である。
【００２３】
制御部１０は、主として、ＣＰＵ，ＲＯＭ，ＲＡＭ，Ｉ／Ｏコントローラ、タイマー等からなるマイクロコンピュータからなり、ＲＯＭ等に記憶されたプログラムに基づいて、ＣＰＵが各種ハードウェアを有機的に動作させることにより、この発明の表示制御機能を実現するものである。
【００２４】
表示部２０は、説明者が見る表示情報を表示する部分であり、上記した第１表示部に相当する。たとえば、ＬＣＤ，ＣＲＴ，ＰＤＰ，有機ＥＬディスプレイ等が用いられる。この表示部２０に表示される表示情報は、後述する主表示データ生成部５１によって生成され、主表示データ７６として記憶部７０に記憶されているデータである。
【００２５】
入力部３０は、説明者が表示指示や、文字、図形、記号等の情報を入力する部分であり、たとえば、キーボード３１，マウス３２，タッチパネル３３，タッチパッド等が用いられる。
ここで、表示指示とは、表示部２０の表示画面に表示された表示情報（コンテンツ）の所望の領域と表示態様（たとえば、表示あるいは非表示）とを指定するための入力を意味する。後述するように、たとえば、表示部２０の表示画面の表示情報のうち所望の指定領域を囲むように入力した破線や実線が、表示指示に相当する。
【００２６】
入力された表示指示は、指定された領域に属する表示データを、他の表示装置である情報表示端末の表示部１２０に表示させるかまたは非表示にするかを指定するための指示である。
たとえば、図５（ａ）に示すように、入力する線として破線を選択し、表示画面上の所望の指定領域を囲むように、破線で円を入力した場合、この表示指示の表示態様は、円で囲んだ領域に属する表示データを非表示にすることを意味する。
また、図５（ｃ）に示すように、表示指示が、表示部２０の表示画面に表示された表示情報の所望の指定領域を囲む実線であった場合、この表示指示によって指定された表示態様は、領域に属する表示データを、所定の指定色で表示させることを意味する。
【００２７】
表示指示判定部４０は、入力部３０によって入力された表示指示の内容を判定する部分である。また、その判定結果に基づいて、表示指示情報７５を生成し、記憶部７０に記憶する。具体的には、入力された表示指示から、指定された領域に属する表示データと、その表示指示によって指定された表示態様とを判定する。
表示指示の判定は、記憶部７０に予め記憶された表示制御方式情報７４に基づいて行われる。ここでは、実際に入力された表示指示が、たとえば図４（ｂ）に示すような表示制御方式情報７４のうち、いずれに一致するかをチェックする。
【００２８】
たとえば、入力された表示指示が、図５（ａ）に示した破線の円で、所望の領域Ａを囲んだものであった場合、その表示指示は図４（ｂ）のルールＲ１の指示内容に一致するので、表示制御として、領域Ａに属する表示データを非表示とする表示指示が入力されたと判定する。
図５（ａ）に示すような破線の円による表示指示が入力された場合は、情報表示端末１０１の表示部１２０の表示は、図６（ａ）に示すような表示になる。
【００２９】
表示データ生成部５０は、表示制御装置１の表示部２０と、情報表示端末ＴＥ１０１の表示部１２０に表示させる表示データを生成する部分である。
表示データ生成部５０は、主表示データ生成部５１と副表示データ生成部５２とからなる。
主表示データ生成部５１は、表示制御装置１の表示部２０に表示させる主表示データ７６を生成する部分である。
副表示データ生成部５２は、情報表示端末１０１の表示部１２０に表示させる副表示データ７７を生成する部分である。
【００３０】
主表示データ７６と副表示データ７７とは、予め記憶部７０に記憶されている表示情報（コンテンツ）７３から表示すべき情報を抽出し、抽出した表示情報に対して、表示指示情報７５に対応する表示制御方式情報７４に基づいて、所定の変更を加えることにより生成される表示データである。
【００３１】
たとえば、表示指示が入力された場合、表示データ生成部５０の副表示データ生成部５２が、副表示データのうち表示指示によって指定された領域に属する表示データが、表示指示判定部４０によって判定された表示態様で、他の表示装置である情報表示端末の表示部１２０に表示されるように、副表示データを変更する。
また、入力された表示指示によって指定された領域に属する表示データが、識別することのできる表示態様で、表示制御装置の表示部２０の表示されるように、主表示データを加工する。
また、表示指示判定部４０と表示データ生成部５０とは、主として、記憶部７０に記憶された制御プログラム（７１，７２）に基づいて実行される機能ブロックである。
【００３２】
通信部６０は、ネットワーク１００を介して、情報表示端末ＴＥ１０１とデータ通信を行う部分である。通信部６０は、たとえば、副表示データ生成部５２によって生成された副表示データ７７を、情報表示端末ＴＥ１０１に送信する。
【００３３】
記憶部７０は、この発明の表示制御装置１で利用される情報やプログラムを記憶する部分であり、ＲＯＭ，ＲＡＭ，フラッシュメモリのような半導体記憶素子、ＨＤＤ，ＳＳＤのような記憶装置、その他の記憶媒体が用いられる。
記憶部７０には、主として、主制御プログラム７１，副制御プログラム７２，表示情報（コンテンツ）７３，表示制御方式情報７４，表示指示情報７５，主表示データ７６，副表示データ７７が記憶されるが、この他にも、表示制御装置１の各種機能を実行するために必要な情報が記憶される。
【００３４】
主制御プログラム７１は、主として、入力された表示指示の判定処理や、表示制御装置１の表示部２０に表示される表示データ（主表示データ７６）の生成、記憶および表示処理の手順を記述したプログラムである。
副制御プログラム７２は、主として、情報表示端末１０１の表示部１２０に表示される表示データ（副表示データ７７）の生成、記憶および送信処理の手順を記述したプログラムである。
【００３５】
表示情報７３は、表示部（２０，１２０）に表示させるために予め用意された情報（コンテンツ）であり、たとえば、プレゼンテーションで使用する文書、図面、画像等の情報である。
この表示情報７３そのものは、表示するデータでなく、表示情報７３を利用して生成された主表示データ７６および副表示データ７７が、表示部（２０、１２０）に表示されるデータとなる。
【００３６】
図４（ａ）に、表示情報（コンテンツ）の一実施例の説明図を示す。
図４（ａ）は、「核エネルギー」に関する文字情報を示したものであるが、表示情報７３としては、このような文字情報に限るものではなく、図形、画像などであってもよい。
図４（ａ）の表示情報をそのまま表示部２０に表示する場合は、たとえば、図５（ｂ）に示すように表示される。
【００３７】
表示制御方式情報７４は、表示データの表示および非表示等の表示態様に関する情報であり、表示データをどのように表示するかを規定した情報である。
この情報７４は、表示制御装置１の設計時に予め設定されるものであるが、表示制御装置１の利用者が独自に設定変更できるようにしてもよい。
図４（ｂ）に、表示制御方式情報７４の一実施例の説明図を示す。
ここでは、２つの情報（Ｒ１、Ｒ２）を示しており、説明を容易にするために、各情報７４は、指示内容と表示制御とからなるものとする。ただし、情報７４の実際の記憶内容は、制御プログラム（７１、７２）が利用可能な形式（数値あるいは記号）で記憶される。
【００３８】
情報７４の指示内容は、利用者によって入力される表示指示を意味し、表示指示は、表示制御装置１を利用する説明者によって入力され、表示部２０にその指示内容が表示される。
また、情報７４の表示制御は、表示制御装置１の表示部２０に表示する主表示データ７６に対する表示制御ではなく、情報表示端末１０１の表示部１２０に表示する副表示データ７７に対する表示制御を意味するものとする。
【００３９】
図４（ｂ）の情報Ｒ１は、指示内容が「破線の○で領域Ａを囲む」であり、表示制御が「領域Ａは非表示」である。この情報Ｒ１は入力部３０によって入力された表示指示が、破線で描かれた円で所望の領域Ａを囲んだものであった場合、その囲まれた領域Ａの部分に表示すべき情報を非表示にすることを意味するものとする。
【００４０】
ここで、破線は、非表示にすることを意味する。また、領域Ａは、表示部２０の表示画面に表示された表示情報のうち、破線の円で囲まれた領域に属する情報を意味する。
たとえば、図５（ａ）に示す表示情報では、「原子力発電所は・・・届いていたものです。」の部分が、領域Ａに属する情報となる。ただし、破線の形状は、正確な円ではなく、閉じられた曲線であればよい。
【００４１】
また、非表示にする対象としては、厳密に、破線の円で囲んだ領域Ａの内部にある情報のみを対象としてもよいが、利用者の操作を容易なものとするために、図５（ａ）に示すような文字情報の場合は、一つの段落に属する文章であれば、領域Ａの外部にその文章の一部分が出ていたとしても、その段落に属するすべての文章を、非表示の対象とすることが好ましい。
図５（ａ）の文章では、最下行の左部の「いた」の部分は破線の円で示される領域Ａの外部に出ているが、この「いた」の部分も含めて、領域Ａに属する文章と見なして、非表示の対象とするものとする。
【００４２】
また、情報Ｒ１の表示制御の内容は、副表示データ７７に対応するものとする。情報Ｒ１の非表示とする領域Ａに属する表示情報は、表示制御装置１の表示部２０に表示するものではなく、情報表示端末ＴＥ１０１に送信し、この端末１０１の表示部１２０に表示させる副表示データ７７とする。
すなわち、Ｒ１に対応する表示指示が入力された場合、領域Ａに属する表示情報を、端末１０１の表示部１２０に表示する場合は、図６（ａ）に示すように、非表示とされる。
【００４３】
同じ領域Ａに属する表示情報を表示制御装置１の表示部２０に表示する場合は、説明者に見える形式で表示される。
たとえば、領域Ａに属する表示情報が、端末１０１を利用する視聴者には非表示となっていることが説明者に明確にわかるようにするために、表示部２０に、領域Ａに属する表示情報を、薄いグレー色で表示してもよい。また、入力された表示指示の情報である破線を、表示部２０に表示する。
図５（ａ）は、表示部２０に、領域Ａに属する情報をグレー色で表示した状態を示している。表示制御装置１を利用する説明者が、このグレー色の表示と表示指示の破線とを見ることにより、領域Ａに属する情報は、端末１０１を利用する視聴者には見えていないこと、すなわち、視聴者は、図６（ａ）に示すような表示を見ていることを、容易に確認することができる。
【００４４】
また、図４（ｂ）の情報Ｒ２は、指示内容が「色Ｂの実線の○で領域Ａを囲む」であり、表示制御が「領域Ａは色Ｂで表示」である。
この情報Ｒ２は、入力部３０によって入力された表示指示が、実線で描かれた円で所望の領域Ａを囲んだものであり、その実線の色の指定が色Ｂであった場合、その囲まれた領域Ａの部分に表示されるべき情報を、指定色Ｂで表示することを意味するものとする。
【００４５】
ここで、実線は、表示対象とすることを意味する。また、指定色Ｂは、利用者が、入力部３０からの指示入力によって指定した色であり、たとえば、色選択用画面を表示しておき、その中の青色を示すアイコンを選択することにより、青色を指定する。
領域Ａについては、上記情報Ｒ１で説明したものと同じであり、領域Ａの外部に文章の一部分が出ている場合でも、一つの段落に属する文章であれば、その指定色Ｂによる表示対象とすることが好ましい。また実線は、正確な円ではなく、閉じられた曲線であればよい。
【００４６】
この情報Ｒ２の指示内容に相当する表示指示が入力された場合、端末１０１の表示部１２０には、図６（ｃ）に示すような表示がされる。すなわち、領域Ａに属する文章が指定色（たとえば青色）で、表示部１２０に表示される。
【００４７】
図５（ｃ）は、情報Ｒ２に相当する実線の○で領域Ａを囲んだ状態の表示部２０の表示画面の一実施例を示したものである。指定した色Ｂが青色であったとすると、この領域Ａに属する文章の部分が青色で表示される。
表示制御装置１を利用する説明者は、図５（ｃ）の青色の表示と表示指示の実線とを見ることにより、端末１０１を利用する視聴者も、自己が見ているのと同じ領域Ａに属する文章を見ていることを容易に確認することができる。
【００４８】
なお、表示制御方式情報７４として、図４（ｂ）に２つの具体例（Ｒ１，Ｒ２）を示したが、これに限るものではない。
これ以外にも、たとえば、下線を引く、色Cで塗りつぶすような表示指示を予め定義しておいてもよい。
【００４９】
図１の記憶部７０において、表示指示情報７５は、入力部３０によって、利用者が入力した表示指示の内容を一時的に記憶したものである。
表示指示は、表示部２０に表示された表示情報の所望の領域に属する表示データと、表示態様を指定するものであり、たとえば、図５（ａ）や（ｃ）に示したような表示制御装置１の利用者である説明者が入力する破線または実線で囲まれた円状の閉じられた曲線の図形である。この図形が描かれた表示画面の位置と、表示画面に表示されている情報の位置とを分析することにより、表示指示情報７５が作成され記憶される。
表示指示情報７５は、たとえば、図４（ｃ），（ｄ），（ｅ）に示すような情報であり、主として、範囲、線、色の情報から構成される。
ここで、範囲は、表示指示によって指定された所望の領域を意味し、入力された円状の図形によって示される領域Ａの位置を示すものである。
【００５０】
表示部２０に表示された情報が、図４（ａ）に示すような文字情報である場合は、行数と列数とによって、その領域Ａの範囲が指定される。具体的には、入力された円状の図形の位置と、表示画面に表示されている文章の位置関係から、破線または実線で描かれた領域Ａに属する文章の最初（左上）の文字の行数および列数と、最後（右下）の文字の行数および列数を求めて、その数値を範囲として記憶する。
たとえば、図４（ｃ）の場合は、領域Ａによって示された表示指示の範囲は、表示部２０に表示されている文章の１行目第１列目の文字から、１０行目第１０列目の文字までの部分であることを意味する。
【００５１】
また、表示指示情報７５の線は、表示態様を指定するものであり、領域Ａの輪隔を示す線分の種類を示したものである。たとえば、破線と実線がある。
線の種類は、たとえば、利用者が表示指示を入力する前に予め選択しておけばよい。
この発明の実施例では、破線は、上記したように、情報の非表示を意味するものとする。すなわち、破線を用いて囲んだ領域Ａに属する文章は、端末１０１の表示部１２０に表示するときは、非表示とすることを意味する。
また、実線は、情報の表示を意味するものとする。すなわち、実線を用いて囲んだ領域Ａに属する文章は、端末１０１の表示部１２０に表示するときは、表示部２０に表示するのと同様の態様で表示するものとする。
【００５２】
また、表示指示情報７５の色は、表示態様を指定するものであり、範囲によって示される領域Ａに属する文章を、表示部１２０に表示するときの色の種類を示したものである。色の種類は、たとえば、利用者が表示指示を入力する前に予め設定しておけばよい。
また、色を指定しない場合は、表示指示の範囲外の文字と同一の色で表示すればよく、予め定めた標準色（たとえば黒色）で、表示すればよい。
ただし、標準色と異なる色を設定した場合は、その指定色で領域Ａに属する文章が表示部（２０，１２０）に表示されるので、説明者も視聴者も、標準色で表示される他の部分と領域Ａの文章とを容易に区別することができる。
また、説明者は、指定色で表示された部分の文章を見ることにより、その文章と同一の文章を視聴者も見ていることを容易に確認することができる。
【００５３】
たとえば、図４（ｃ）に示す表示指示情報７５は、図５（ａ）に示すように、破線で領域Ａを示す円状の図形を入力した場合に生成される情報であり、図４（ｅ）に示す表示指示情報７５は、図５（ｃ）に示すように、実線で領域Ａを示す円状の図形を入力した場合に生成される情報である。
この表示指示情報７５は、表示指示判定部４０によって生成され、主表示データ生成部５１および副表示データ生成部５２が、それぞれ主表示データ７６および副表示データ７７を生成するときに利用される。
【００５４】
なお、表示指示は、キーボード３１，マウス３２，あるいはタッチパネル３３のいずれかを用いて図形によって入力してもよいが、図４（ｃ）に示すような範囲、線、色等の情報を、利用者が数値情報として直接入力してもよい。
【００５５】
記憶部７０の主表示データ７６は、主表示データ生成部５１によって生成されるデータであり、表示情報７３を表示制御装置１の表示部２０に実際に表示させるための表示データを記憶したものである。
主表示データ７６は、表示情報７３を、表示部２０の表示画面に表示されるような形式のデータに変換したデータであり、いわゆるビットマップデータとして記憶される。
表示指示が入力された場合、表示部２０に、入力された表示指示の情報を、その表示指示によって指定された領域に重ねて表示させる。ここで、入力された表示指示の情報とは、たとえば、所望の領域を示す破線や実線で描かれた図形を意味する。
副表示データ７７は、副表示データ生成部５２によって生成されるデータであり、表示情報７３を情報表示端末１０１の表示部１２０に実際に表示させるための表示データを記憶したものであり、ビットマップデータである。
【００５６】
図５（ａ）〜（ｃ）に、表示制御装置１の表示部２０に表示される表示画面の一実施例の説明図を示す。
図５（ａ）は、すでに説明したように、破線の表示指示を入力した場合の表示画面を示したものであり、表示指示の破線とともに、表示指示がされた領域に属する文章を、薄いグレー色で表示している。
図５（ｂ）は、図５（ａ）の表示状態において、説明者が破線の表示指示を解除（消去）した場合の表示画面を示したものであり、表示指示のない通常の表示に戻った表示状態を示している。
図５（ｃ）は、実線の表示指示を入力した場合の表示画面を示したものであり、表示指示である実線とともに、表示指示がされた領域に属する文章を指定色で表示している。
【００５７】
図５（ａ）および図５（ｃ）のような表示がされる場合は、それぞれ、破線および実線による表示指示が入力され、図４（ｃ）および図４（ｅ）に示す表示指示情報７５が生成される。
また、一旦入力された破線の表示指示が解除された場合は、図４（ｄ）に示すような表示指示情報７５が生成され、この情報７５に基づいて、図５（ｂ）のような表示がされる。
入力されていた表示指示を解除する入力がされた場合には、表示情報が、表示部２０と他の表示装置である情報表示端末１０１の表示部１２０に、表示指示が入力される前の表示態様で表示されるように、表示データ生成部が、主表示データと副表示データとを変更する。
【００５８】
また、図６（ａ）〜（ｃ）に、端末１０１の表示部１２０に表示される表示画面の一実施例の説明図を示す。この表示部１２０に表示される情報は、副表示データ７７に基づいて表示される。
図６（ａ）は、表示制御装置１において、説明者が図４（ｂ）のＲ１に相当する表示指示を入力した場合に、表示部１２０に表示される表示画面の一実施例を示したものである。表示制御装置１の表示部２０に、図５（ａ）の表示画面が表示されているときに、端末１０１の表示部１２０には、図６（ａ）の表示画面が表示される。すなわち、表示部１２０には、破線で囲まれた領域に属する文章が、表示されない。
【００５９】
図６（ｂ）は、表示制御装置１において、説明者が入力していた表示指示を解除（消去）した場合に、表示部１２０に表示される表示画面の一実施例を示したものである。
表示指示が解除されると、表示制御装置１の表示部２０には、図５（ｂ）のような表示画面が表示されるが、そのとき、図６（ｂ）のように、端末の表示部１２０にも、表示指示が入力される前の表示態様で、図５（ｂ）と同一の表示画面が表示される。
【００６０】
図６（ｃ）は、表示制御装置１において、説明者が図４（ｂ）のＲ２に相当する表示指示を入力した場合に、表示部１２０に表示される表示画面の一実施例を示したものである。
表示制御装置１の表示部２０に、図５（ｃ）の表示画面が表示されているときに、端末１０１の表示部１２０には、図６（ｃ）の表示画面が表示される。図６（ｃ）の表示画面の表示内容は、図６（ｂ）と同一であるが、図５（ｃ）の表示指示の指定色が青色の場合は、図６（ｃ）の表示指示がされた領域の部分の文章も、青色で表示される。
【００６１】
このように、端末１０１の表示部１２０に表示される副表示データ７７は、表示制御装置１で生成される。ただし、副表示データ７７は、主表示データ７６を生成するもととなる同一の表示情報７３から生成され、この表示情報７３とは別に、表示部１２０に表示するための表示情報を予め作成しておく必要はない。
すなわち、２つの表示部（２０，１２０）に表示させる表示情報を別々に予め作成する必要はないので、主および副の表示データのもととなる表示情報を容易に作成することができ、表示制御装置１において、説明者が図４（ｂ）に示すような表示指示を入力するだけで、容易に、説明者が意図する副表示データ７７を生成することができる。
また、表示指示する領域を説明者が意図する部分に変更することにより、端末１０１の表示部１２０に表示する部分と表示しない部分とを、その都度容易に変更することができる。
【００６２】
＜情報表示端末の構成＞
図２に、情報表示端末１０１の一実施例の構成ブロック図を示す。
情報表示端末１０１は、上記したように、たとえば説明者の行うプレゼンテーションを聞く視聴者が利用する端末であり、パソコン、携帯電話、スマートホン、タブレット端末、ハンディターミナル、インフォメーションディスプレイ、LEDディスプレイのような情報処理装置に相当する。情報表示端末１０１は、ネットワークを介して、表示制御装置１に接続される。
図２において、情報表示端末１０１は、主として、制御部１１０，表示部１２０，入力部１３０，通信部１４０，記憶部１５０から構成される。
【００６３】
制御部１１０は、この端末１０１の動作を制御する部分であり、ＣＰＵ，ＲＯＭ，ＲＡＭ，Ｉ／Ｏコントローラ、タイマー等からなるマイクロコンピュータにより実現され、ＲＯＭ等に記憶された制御プログラム１５１に基づいて、ＣＰＵが各種ハードウェアを動作させることにより、端末１０１の各種機能を実行させる。
【００６４】
表示部１２０は、各種情報を表示する部分であり、上記した他の表示装置に相当する。この発明では、特に、表示制御装置１から送信され、記憶部１５０に記憶された副表示データ１５２を表示する。表示部１２０としては、たとえば、ＬＣＤ，ＰＤＰ，有機ＥＬディスプレイ等が用いられる。
【００６５】
入力部１３０は、利用者が、文字等の情報や、各種機能を実行させる操作を入力する部分である。入力部１３０としては、キーボード、マウスの他に、タッチパネル１３１を用いてもよい。
通信部１４０は、ネットワーク１００を介して、表示制御装置１とデータ通信をする部分である。たとえば、上記したように、無線通信により、表示制御装置１から送信されてくる副表示データ７７を受信する。
【００６６】
記憶部１５０は、端末１０１で利用する各種情報や制御プログラム１５１を記憶する部分であり、ＲＯＭ，ＲＡＭ，ハードディスク、ＳＳＤなどが利用される。
制御プログラム１５１は、端末１０１の各種機能を実現させるための手順を記述したものである。たとえば、入力部１３０からの指示入力により、表示制御装置１に接続し、表示制御装置１から送られてくる情報を取得して表示部１２０に表示させる。
記憶部１５０に記憶される副表示データ１５２は、表示制御装置１から送信されてくる副表示データ７７と同一のデータであり、表示部１２０に表示されるデータである。
【００６７】
この端末１０１の表示部１２０に表示される表示画面は、上記したように、図６（ａ）〜（ｃ）に例示されるような画面であり、表示制御装置１において説明者が表示指示を入力することにより、表示部１２０の表示画面に表示される内容を、容易に切り替えることができる。
【００６８】
＜主制御プログラムによる主表示データの表示制御＞
図８および図９に、表示制御装置における主表示データの表示制御処理の一実施例のフローチャートを示す。このフローチャートは、主制御プログラム７１によって実行されるものである。
図８において、表示制御装置１において入力される表示指示に基づく指示範囲の表示処理を示す。
また、図９において、表示指示に対応するように、表示部２０に表示される表示情報を加工する処理を示す。
【００６９】
図８のステップＳ１において、制御部１０が、記憶部７０から、表示部２０に表示すべき表示情報（コンテンツ）７３を取得し、主表示データ生成部５１によって主表示データ７６を生成させ、主表示データ７６を表示部２０に表示させる。
このとき、たとえば、図５（ｂ）に示すのと同様の表示が行われる。
【００７０】
ステップＳ２において、制御部１０は、入力部３０によって、表示指示を意味する入力があるか否かをチェックする。たとえば、破線が選択され、マウス３２あるいはタッチパネル３３を使用して、円状の図形が入力されたか否かをチェックする。
説明者は、表示部２０の表示画面の表示内容を見て、非表示にしたい部分や、指定色で表示したい部分を選択的に囲む円状の図形を入力することによって、表示指示を入力する。
表示指示の入力がない場合は、ステップＳ１へ戻る。あるいはステップＳ２をループする。上記のような表示指示の入力があった場合は、ステップＳ３へ進む。
【００７１】
ステップＳ３において、表示指示判定部４０が、入力された表示指示を分析する。ここでは、表示指示の位置と表示態様を特定する。まず、入力された表示指示の図形の位置が、表示画面に表示されている表示内容のどの領域に対応しているかを検出する。たとえば、表示内容が文字情報の場合、入力された図形によって囲まれた領域に含まれる文字の範囲を特定する。
また、表示指示の線の種類と指定色を取得する。
さらに、表示制御方式情報７４を参照して、入力された表示指示が、予め設定されている情報７４のうち、どの情報に対応するものかを判定する。
【００７２】
ステップＳ４において、表示指示判定部４０が、上記の分析結果から、入力された表示指示に対応する表示指示情報７５を取得し、記憶部７０に記憶する。
たとえば、図５（ａ）に示すような破線による表示指示が入力された場合は、図４（ｃ）に示すような表示指示情報７５が、記憶部７０に記憶される。
【００７３】
ステップＳ５において、制御部１０が、表示指示の入力が終了したか否かを、チェックする。表示指示の入力が終了したか否かは、たとえば、押し続けていたマウスボタンを離すことにより判断することができる。
表示指示の入力が終了した場合は、図９のステップＳ１０へ進み、そうでない場合は、ステップＳ６へ進む。
ステップＳ６において、入力された表示指示が、破線の○であるか否かをチェックする。破線の円状の図形が入力された場合は、ステップＳ７へ進み、破線でない場合は、ステップＳ８へ進む。
【００７４】
ステップＳ７において、記憶部７０の主表示データ７６に、入力された指示範囲の表示データを追加記憶し、表示部２０に表示する。
すなわち、入力された破線の円状の図形を、入力されたとおりに、表示部２０に表示させる。このとき、たとえば、図５（ａ）に示すような破線が表示される。その後、ステップＳ５へ戻る。
ステップＳ８において、入力された表示指示が、実線の○であるか否かをチェックする。
実線の円状の図形が入力された場合は、ステップＳ９へ進み、そうでない場合は、ステップＳ５へ戻る。
【００７５】
ステップＳ９において、記憶部７０の主表示データ７６に、入力された指示範囲の表示データを追加記憶し、表示部２０に表示する。
すなわち、入力された実線の円状の図形を、入力されたとおりに、表示部２０に表示させる。このとき、たとえば、図５（ｃ）に示すような実線が表示される。その後、ステップＳ５へ戻る。
【００７６】
図９のステップＳ１０において、主表示データ生成部５１が、表示部２０に表示されている表示情報（コンテンツ）７３を、先頭から順に、一文字ずつ取得する。
また、その文字が現在表示されている表示画面上の位置の情報（座標値）も取得する。
ステップＳ１１において、表示されている表示情報のすべての文字の取得を終了したか否かをチェックする。
すなわち、表示されている文字のすべてに対して、以下のステップによる表示方法のチェックを行ったか否かをチェックする。
すべての表示文字についてのチェックを終了した場合は、ステップＳ１８へ進み、そうでない場合はステップＳ１２へ進む。
【００７７】
ステップＳ１２において、現在注目している取得された文字の表示位置が、記憶された表示指示情報７５によって示される表示指示の範囲内に属するか否かをチェックする。
表示指示の範囲内であれば、ステップＳ１３へ進み、そうでない場合はステップＳ１７へ進む。
ステップＳ１３において、ステップＳ６と同様のチェックを行う。すなわち、入力された表示指示が、破線の○であるか否かをチェックし、破線の○であった場合は、ステップＳ１４へ進む。
一方、破線でなかった場合はステップＳ１５へ進む。
ステップＳ１４において、記憶部の主表示データ７６として、現在注目している文字の表示位置に、その文字を薄いグレー色を表示するための文字情報を、設定し記憶する。これにより、その文字は、表示部２０の表示画面に、グレー色で表示されることになる。その後、次の文字について、同様の処理を繰り返すために、ステップＳ１０へ戻る。
【００７８】
ステップＳ１５において、ステップＳ８と同様のチェックを行う。
すなわち、入力された表示指示が、実線の○であるか否かのチェックを行い、実線の○であった場合はステップＳ１６へ進み、そうでない場合は、ステップＳ１７へ進む。
ステップＳ１６において、記憶部の主表示データ７６として、現在注目している文字の表示位置に、その文字を、表示指示で指定された指定色で表示するために、その指定色の文字情報を、設定し記憶する。これにより、その文字は、表示部２０の表示画面に、指定色で表示されることになる。その後、次の文字について、同様の処理を繰り返すために、ステップＳ１０へ戻る。
【００７９】
ステップＳ１７において、記憶部の主表示データ７６として、現在注目している文字の表示位置に、そのままその文字の文字情報を設定し記憶する。
ここでは、現在注目されている文字は、予め設定された標準色（たとえば黒色）で表示されることになる。その後、次の文字について、同様の処理を繰り返すために、ステップＳ１０へ戻る。
【００８０】
一方、ステップＳ１８において、すべての表示文字についての主表示データ７６の設定記憶が終了したので、記憶部の主表示データ７６に記憶された表示データを、表示部２０に表示させ、ステップＳ１へ戻る。
これにより、図５（ａ）〜（ｃ）のいずれかに示したように、入力された表示指示の内容が説明者にわかるように表示される。
また、表示部２０に表示される表示画面を見ることにより、説明者が自ら入力した表示指示によって、端末１０１の表示部１２０に表示されている表示画面がどのような表示であるかを確認することができる。
【００８１】
＜副制御プログラムによる副表示データの表示制御＞
図１０に、表示制御装置における副表示データの表示制御処理の一実施例のフローチャートを示す。
ここでは、副表示データ７７は、表示制御装置１の表示部２０に表示するものではなく、端末１０１に送信され、端末１０１の表示部１２０に表示するものとする。
このフローチャートは、副制御プログラム７２によって実行されるものである。
【００８２】
ステップＳ３１において、制御部１０が、新しい表示指示の入力があったか否かをチェックする。
ここで、表示指示情報７５は、表示指示があるごとに上書きするのではなく、履歴を記憶し、前回の表示指示情報７５も残すようにする。
そこで、新しい表示指示の入力があったか否かは、前回の表示指示情報７５と今回入力された表示指示に対する表示指示情報７５とが異なるか否かをチェックすればよい。
初めて入力があった場合、あるいは前回の表示指示と異なる表示指示の入力があった場合は、ステップＳ３２へ進む。
また、入力がない場合、あるいは入力があったとしても前回と同じ表示指示であって変化がない場合は、ステップＳ３１をループする。
【００８３】
ステップＳ３２において、副表示データ生成部５２が、表示部２０に表示されている表示情報（コンテンツ）７３を、先頭から順に一文字ずつ取得し、その文字の表示位置の情報（座標値）も取得する。
ステップＳ３３において、ステップＳ１１と同様に、表示されている表示情報のすべての文字について、以下のステップによる表示方法のチェックを終了したか否かをチェックする。
すべての文字のチェックを終了した場合は、ステップＳ３４へ進み、そうでない場合は、ステップＳ３５へ進む。
【００８４】
ステップＳ３５において、ステップＳ１２と同様に、現在注目している文字の表示位置が、記憶部に記憶された新しい表示指示に対する表示指示情報７５によって示された表示指示の範囲内に属するか否かをチェックする。
表示指示の範囲内にあればステップＳ３６へ進み、そうでない場合はステップＳ４０へ進む。
【００８５】
ステップＳ３６において、ステップＳ１３と同様に、新たに入力された表示指示が、破線の○であるか否かをチェックし、破線の○であった場合はステップＳ３７へ進み、そうでない場合はステップＳ３８へ進む。
ステップＳ３７において、副表示データ生成部５２が、記憶部の副表示データ７７として、現在注目している文字の表示位置に、その文字を表示する代わりに、スペースを示す文字情報を設定し記憶する。
これにより、その文字は、端末１０１の表示部１２０には表示されないことになる。すなわち、スペースは非表示を意味する情報である。
その後、次の文字について、同様の処理を繰り返すために、ステップＳ３２へ戻る。
【００８６】
ステップＳ３８において、ステップＳ１５と同様に、新たに入力された表示指示が、実線の○であるか否かのチェックを行い、実線の○であった場合はステップＳ３９へ進み、そうでない場合はステップＳ４０へ進む。
ステップＳ３９において、副表示データ生成部５２が、記憶部の副表示データ７７として、現在注目している文字の表示位置に、その文字を表示指示の指定色で表示するために、その指定色の文字情報を設定し記憶する。
その後、次の文字について、同様の処理を繰り返すために、ステップＳ３２へ戻る。
【００８７】
ステップＳ４０において、副表示データ生成部５２が、記憶部の副表示データ７７として、現在注目している文字の表示位置に、そのままその文字の文字情報を設定し記憶する。
この場合、現在注目されている文字は、表示指示の範囲外にある文字なので、通常どおり、予め設定された標準色（たとえば黒色）で表示される。
その後、次の文字について、同様の処理を繰り返すために、ステップＳ３２へ戻る。
【００８８】
ステップＳ３４において、すべての表示文字についての副表示データ７７の設定記憶が終了したので、記憶部の副表示データ７７に記憶された表示データを、通信部６０を介して、端末１０１に送信する。その後、ステップＳ３１へ戻る。
この副表示データを受信した端末１０１では、副表示データ１５２として記憶部１５０に記憶し、表示部１２０に表示させる。
たとえば、破線を用いた表示指示が入力された場合は、その表示指示で指定された領域に属する文字を非表示とした副表示データ７７が送信されるので、端末１０１の表示部１２０には、たとえば図６（ａ）に示すような表示が行われる。
【００８９】
＜情報表示端末の表示データの受信と表示処理＞
図１１に、情報表示端末における表示データの受信と表示処理の一実施例のフローチャートを示す。
情報表示端末１０１は、情報の表示だけではなく、情報の作成、入力、加工、出力などその他の機能を有する場合もあるが、ここでは、特にこの発明に関係のある表示データの受信と表示処理のみについて示す。
図１１のフローチャートは、端末１０１の制御プログラム１５１によって実行される。
【００９０】
ステップＳ５１において、端末１０１の制御部１１０が、通信部１４０を介して、表示制御装置１から副表示データを受信したか否かをチェックする。
副表示データ７７が受信されたか否かは、所定のフォーマットで送信されたデータの中の所定の位置のヘッダ情報などを確認することにより、チェックすればよい。
ステップＳ５２において、副表示データが受信されたことを確認した場合、ステップＳ５３へ進み、そうでない場合はステップＳ５１へ戻る。
【００９１】
ステップＳ５３において、受信した副表示データを取得し、記憶部１５０に記憶する。
表示制御装置１で生成された副表示データ７７が、表示部１２０に表示することのできる形式のビットマップデータである場合は、記憶された副表示データ１５２は、そのまま端末１０１における表示データとなる。
ステップＳ５４において、制御部１１０が、記憶部１５０に記憶された副表示データ１５２を、表示部１２０に表示させる。
表示処理をした後、ステップＳ５１へ戻る。
これにより、上記したように、受信した副表示データに基づいて、たとえば、図６（ａ）〜（ｃ）に示すような表示が行われ、各端末１０１を利用する視聴者は、説明者が意図した表示指示に基づく表示内容を見ることになる。
【００９２】
＜この発明の表示制御装置の他の実施例＞
以下に、この発明の表示制御装置の他の実施例の構成と表示制御について説明する。
図３に、この発明の表示制御装置の他の実施例の構成ブロック図を示す。
ここでは、表示制御装置が２つの表示部（第１表示部２０、第２表示部２１）を備え、一方の表示部（第１表示部２０）は、プレゼンテーションを行う説明者が利用し、他方の表示部（第２表示部２１）は、説明者による講義や説明会等の場面でその説明者の話を聞く視聴者が見るものとする。
したがって、図１に示した実施例とは異なり、ネットワークを介した通信を行う通信部６０を備えなくてもよい。また、表示制御装置に備えられた第２表示部２１は、上記した他の表示装置に相当する。その他の構成は、図１に示すものと同じである。
【００９３】
第１および第２表示部（２０，２１）のどちらも、ＬＣＤ、ＰＤＰ、有機ＥＬディスプレイ等を用いることができるが、多数の視聴者に対して説明をする場面などでは、第２表示部２１は、大画面のディスプレイを用いることが好ましい。
また、説明者と説明を受ける視聴者が１対１で対面するような場合は、第１および第２表示部を一体成形し、表面に第１表示部２０を配置し、その裏面に第２表示部２１を配置した両面表示装置を用いてもよい。
【００９４】
図３の第１表示部２０は、説明者が見るディスプレイなので、図１の表示部２０に対応し、記憶部７０に記憶された主表示データ７６の表示内容が表示される。
一方、第２表示部２１は、視聴者が見るディスプレイなので、図１の情報表示端末１０１の表示部１２０に対応し、記憶部７０に記憶された副表示データ７７の表示内容が表示される。
したがって、図３の実施例では、通信部がないので、副表示データ７７の外部への送信処理がなくなり、副表示データ７７を表示するディスプレイが、端末１０１の表示部１２０から、表示制御装置１の第２表示部２１に変更されるだけであり、第２表示部２１に表示される表示内容は、端末１０１の表示部１２０に表示される内容と同一であると言える。
【００９５】
図７に、図３に示した実施例において、第１および第２表示部の表示画面に表示される表示内容の一実施例の説明図を示す。
図７（ａ）、（ｂ）および（ｃ）は、第１表示部２０の表示画面に表示される表示内容の実施例を示したものであり、それぞれ、図５（ａ）、（ｂ）および（ｃ）と同一の表示内容である。
図７（ｄ）、（ｅ）および（ｆ）は、第２表示部２１の表示画面に表示される表示内容の実施例を示したものであり、それぞれ、図６（ａ）、（ｂ）および（ｃ）に示した端末１０１の表示部１２０の表示画面に表示される表示内容に対応する。
したがって、たとえば、図７（ａ）の表示画面が第１表示部２０に表示されている場合は、破線による表示指示がされているので、第２表示部２１には、図７（ｄ）に示すように、破線で囲まれていた領域に属する文章が非表示とされた表示画面が表示される。
【００９６】
また、破線による表示指示が解除された場合は、第１表示部２０には、図７（ｂ）に示すような表示画面が表示され、第２表示部２１には、図７（ｅ）に示すように、非表示であった文章が表示画面に表示される。
さらに、指定色を青色に設定した実線による表示指示が入力された場合は、第１表示部２０には図７（ｃ）に示すような表示画面が表示され、第２表示部２１には図７（ｆ）に示すような表示画面が表示され、実線で囲まれた部分は、青色で表示される。
【００９７】
図１２および図１３に、図３の表示制御装置における主表示データの表示制御処理の一実施例のフローチャートを示す。このフローチャートは、主制御プログラム７１によって実行される。
また、図８および図９に示したフローチャートと同様の処理を行うステップについては、同じ符号を付与している。
【００９８】
ステップＳ７１において、ステップＳ１と同様に表示情報７３を取得するが、その表示情報を第１表示部２０に表示させる。
ステップＳ２からＳ６までは、図８のフローチャートと同様の処理が行われる。すなわち、表示指示が入力されたか否かのチェックを行い、表示指示が入力された場合には、表示制御方式情報７４を用いて分析し、表示指示情報７５を取得記憶し、入力された表示指示が破線の○か否かをチェックする。
破線の○が入力された場合は、ステップＳ７２へ進み、そうでない場合はステップＳ８へ進む。
【００９９】
ステップＳ７２において、ステップＳ７と同様に、主表示データ７６に、入力された指示範囲（破線○）の表示データを追加記憶するが、第１表示部２０に、その指示範囲を表示する。その後、ステップＳ５へ戻る。
ステップＳ８において、入力された表示指示が実線の○か否かをチェックし、実線の○である場合は、ステップＳ７３へ進み、そうでない場合はステップＳ５へ戻る。
【０１００】
ステップＳ７３において、ステップＳ９と同様に、主表示データ７７に、入力された指示範囲（実線色付き○）の表示データを追加記憶するが、第１表示部２０に、その指示範囲を表示する。その後、ステップＳ５へ戻る。
その後、ステップＳ５において、表示指示の入力が終了した場合、ステップＳ１０へ進む。図１３に示すステップＳ１０からＳ１７までの処理は、図９のフローチャートと同様であり、ステップＳ１８の代わりに、ステップＳ７４を実行する点が、図９のフローチャートと異なる。
【０１０１】
ステップＳ７４において、すべての表示文字についての主表示データ７６の設定記憶が終了したので、記憶部の主表示データ７６に記憶された表示データを第１表示部２０に表示させ、ステップＳ７１へ戻る。
以上の処理により、主表示データ７６に記憶された表示データが、たとえば、図７（ａ）〜（ｃ）に示すように、第１表示部２０に表示される。
【０１０２】
図１４に、図３の表示制御装置における副表示データの表示制御処理の一実施例のフローチャートを示す。このフローチャートは、副制御プログラム７２によって実行される。
また、図１４のステップＳ３１〜Ｓ３３、Ｓ３５からＳ４０までの処理は、図１０に示した処理と同様の処理であるので、同じ符号を付与している。
図１４のフローチャートでは、図１０のステップＳ３４を、ステップＳ８１に変更する点が、図１０のフローチャートと異なる。
すなわち、図１０のステップＳ３４では、記憶部の副表示データ７７に記憶された表示データを、端末１０１に送信していたのに対し、図１４のステップＳ８１では、副表示データ７７に記憶された表示データを、表示制御装置１の第２表示部２１に表示させる。
その後ステップＳ３１へ戻る。
【０１０３】
これにより、記憶部の副表示データ７７に記憶された表示データは、第２表示部２１の表示画面に表示される。
たとえば、図７（ｄ）、（ｅ）および（ｆ）のいずれかに示すような表示画面が、第２表示部２１に表示される。
したがって、第２表示部２１を利用する視聴者は、説明者が意図した表示指示に基づいた表示内容を見ることになる。
また、説明者は、図７（ａ）〜（ｃ）のように、自らが入力した表示指示に基づいて、表示内容が第１表示部２０に表示されるので、第１表示部２０を見ることにより、視聴者が現在どのような表示内容を見ているかを容易に確認することができる。
【符号の説明】
【０１０４】
１  表示制御装置
１０  制御部
２０  表示部（第１表示部）
２１  第２表示部
３０  入力部
３１  キーボード
３２  マウス
３３  タッチパネル
４０  表示指示判定部
５０  表示データ生成部
５１  主表示データ生成部
５２  副表示データ生成部
６０  通信部
７０  記憶部
７１  主制御プログラム
７２  副制御プログラム
７３  表示情報（コンテンツ）
７４  表示制御方式情報
７５  表示指示情報
７６  主表示データ
７７  副表示データ
１００  ネットワーク
１０１  情報表示端末
１１０  制御部
１２０  表示部
１３０  入力部
１３１  タッチパネル
１４１  通信部
１５０  記憶部
１５１  制御プログラム
１５２  副表示データ
【図１】
2014025975.tif 000003
【図２】
2014025975.tif 000004
【図３】
2014025975.tif 000005
【図４】
2014025975.tif 000006
【図５】
2014025975.tif 000007
【図６】
2014025975.tif 000008
【図７】
2014025975.tif 000009
【図８】
2014025975.tif 000010
【図９】
2014025975.tif 000011
【図１０】
2014025975.tif 000012
【図１１】
2014025975.tif 000013
【図１２】
2014025975.tif 000014
【図１３】
2014025975.tif 000015
【図１４】
2014025975.tif 000016